(57)【要約】【課題】  ヘア・ドレッシングを実習するための装置を提供する。【解決手段】  この装置は、顔面(110)と、ヒトの毛髪成長頭部に相当する毛髪成長領域(120)とを有するダミー頭部(100)と；キャップ(210)と、該キャップに取着された毛髪フィラメント(220)とを有する別体のカツラ(200)とを具備してなる。上記毛髪成長領域(120)は境界部(130)を有する。キャップ(210)は毛髪フィラメント(220)の周囲に沿って延出したエッジ部(211)を有する。上記毛髪成長領域の境界部(130)および上記キャップのエッジ部(211)はそれぞれ第1および第2の係合手段(140、212)を有し、それらが互いに着脱自在に係合し、それにより上記カツラ(200)を上記ダミー頭部(100)に取着させるようになっている。該カツラ(200)は交換のため、又は異なる形の顔を有する他のダミー頭部への取着のため着脱自在となっている。【選択図】図３
2006204897.tif 000002
【特許請求の範囲】
【請求項１】
顔面と、ヒトの毛髪成長頭部に相当する毛髪成長領域とを有するダミー頭部であって、該毛髪成長領域が境界部を有するものと；
キャップと、該キャップに取着された毛髪フィラメントとを有する別体のカツラであって、該キャップが毛髪フィラメントの周囲に沿って延出したエッジ部を有するものと；
を具備してなり；
上記毛髪成長領域の境界部および上記キャップのエッジ部がそれぞれ第1および第2の係合手段を有し、それらが互いに着脱自在に係合し、それにより上記カツラを上記ダミー頭部に取着させるようになっており、該カツラが交換のため、又は異なる形の顔を有する他のダミー頭部への取着のため着脱自在となっていることを特徴とするヘア・ドレッシングを実習するための装置。
【請求項２】
該第1および第2の係合手段が一方を他方の中に係合し得るようになっている請求項１記載のヘア・ドレッシングを実習するための装置。
【請求項３】
該第1の係合手段は溝を有する請求項1又は2記載のヘア・ドレッシングを実習するための装置。
【請求項４】
該第2の係合手段が上記溝と嵌合する帯状体を有する請求項3記載のヘア・ドレッシングを実習するための装置。
【請求項５】
該溝および帯状体が双方とも無端のものである請求項4記載のヘア・ドレッシングを実習するための装置。
【請求項６】
上記帯状体が、上記溝と実質的に同様の形状を有する請求項4又は5記載のヘア・ドレッシングを実習するための装置。
【請求項７】
上記帯状体が、上記キャップの内面に設けられている請求項4ないし6のいずれかに記載のヘア・ドレッシングを実習するための装置。
【請求項８】
上記帯状体が、上記溝の底部と係合する側面突起を有する請求項4ないし7のいずれかに記載のヘア・ドレッシングを実習するための装置。
【請求項９】
上記帯状体が、上記溝からこの帯状体を引き剥がすための舌片を有する請求項4ないし8のいずれかに記載のヘア・ドレッシングを実習するための装置。
【発明の詳細な説明】
【技術分野】
【０００１】
本発明はヘア・ドレッシングを実習するための装置に関する。
【背景技術】
【０００２】
ヘア・ドレッシングの訓練では、毛髪が予め移植又は固定されたダミー頭部が使用される。このダミー頭部は通常、使用後、毛髪をつけたまま全体が廃棄される。これは毛髪のみがカットされただけなので不経済である。更に、ダミー頭部形状、特に顔は種々変わり得るものであり、それにより在庫経費が増大することとなる。
【発明の開示】
【発明が解決しようとする課題】
【０００３】
本発明はヘア・ドレッシングを実習するための装置の改善を図ることを目的とする。
【課題を解決するための手段】
【０００４】
本発明はヘア・ドレッシングを実習するための装置を提供するもので、この装置は、顔面とヒトの毛髪成長頭部に相当する毛髪成長領域とを有するダミー頭部と、キャップと、このキャップに固着された毛髪フィラメントとを有する別体のカツラとを具備してなる。この毛髪成長領域は境界部を有する。上記キャップは毛髪フィラメントの周囲に沿って延出するエッジ部を有する。毛髪成長領域の境界部および上記キャップのエッジ部はそれぞれ第1および第2の係合手段を有し、これら係合手段は相互に着脱自在に係合することができ上記カツラをダミー頭部に取着させるようになっている。このカツラは交換のため、又は異なる形の顔を有する他のダミー頭部への取着のため着脱自在となっている。
【０００５】
好ましくは、第1および第2の係合手段は一方を他方の中に係合し得るようになっている。
好ましい実施例では、第1の係合手段は溝を有する。
より好ましい実施例では、第2の係合手段は上記溝と嵌合する帯状体を有する。
より好ましい実施例では、上記溝および帯状体は双方とも無端のものである。
【０００６】
上記帯状体が、上記溝と実質的に同様の形状を有することが、より好ましい。
上記帯状体が、上記キャップの内面に設けられていることが、より好ましい。
上記帯状体が、上記溝の底部と係合する側面突起を有することが、より好ましい。
上記帯状体が、上記溝からこの帯状体を引き剥がすための引張り舌片を有することが、より好ましい。
【発明を実施するための最良の形態】
【０００７】
以下、本発明の具体例を、添付図面を参照して詳述する。
これら図は、本発明のヘア・ドレッシングを実習するための装置の具体例を示している。この装置は、ダミー頭部100と、ダミー頭部100に取着される別体のカツラ200を具備してなり、これに対しヘア・ドレッシングが実習されるもので、例えば毛髪を種々のスタイルにカットしたり、セットしたり、および/又は顔の異なる形状にマッチさせたりすることができる。
【０００８】
ダミー頭部100は、顔面110と、ヒトの毛髪成長頭部に相当する毛髪成長領域120と、起立させるための平坦底部150とを有している。毛髪成長領域120は境界部又はヘア・ライン130を有する。このヘア・ライン130に沿って無端溝140がダミー頭部100の表面に形成されている。この溝140はヘア・ライン130と同様の輪郭(形状)を有する。この溝140の両壁は互いに平行となっているか、あるいはその底部から頂部に向って若干テーパー状となっている。
【０００９】
カツラ200は、キャップ210と、このキャップ210に固定された毛髪フィラメント220とを具備してなるが、これに更に当業者に公知のように人工頭皮を含めてもよい。キャップ210はカツラ200の形状を保持させるベース又は骨格であり、かつ、毛髪フィラメント220を固着させるベースでもある。このキャップ210は周縁エッジ部211を有し、これが毛髪フィラメント220、すなわち、その根元の周辺に沿って延出し、従ってヘア・ラインとなっている。このキャップ210の内面でそのエッジ211に沿って無端帯状体212が固着されている。
【００１０】
この帯状体212は弾性的に圧縮可能となっていて、好ましくはシリコーンラバーのようなゴム材料から作られている。この帯状体212は溝140と同様の長手方向輪郭(形状)を有するよう成形され、その全長に沿って溝140内に圧嵌自在となるようにその断面が若干広くなっており、それによりカツラ200をダミー頭部100に固定させるようになっている。
【００１１】
帯状体212は可撓性であり、従ってその形状も可撓性であるが、溝140と同様の形状を有するよう成形されているという事実から溝140への帯状体212の挿入が容易となっている。
【００１２】
側面リブ213が帯状体212の長手方向に沿って設けられていることから、帯状体212はその断面がその自由端で若干大きくなっていて溝140内により強固に係合されるようになり、かつ、圧縮されて溝140の底部により密に捕捉されることになる。溝140の断面は若干テーパーをなし、帯状体212の引き止め性を向上させている。
【００１３】
帯状体212の最下部の一体的引きタブ（舌片）214は、溝140からの帯状体212の離脱を容易にし、それによりダミー頭部100からのカツラ200の離脱を容易にしている。
【００１４】
カツラ200は使用後、取り外し(そして廃棄される)、新規なカツラで置き換えることができ、従って、ダミー頭部100は多数回、再使用することができる。若しくは、カツラ200を、形状的に適合し異なる形状の顔面(より丸い又はより長い顔など)を有する他のダミー頭部上に取着させることもできる。従って、種々の顔面形状/寸法のダミー頭部に対しヘア・ドレッシングの実習を行うことが可能となる。
【００１５】
以上、本発明は実施例に基づいて説明したが、添付した特許請求の範囲に規定された本発明の範囲から逸脱することなく、これら実施例に対し種々の改良および/又は変更を行うことは当業者にとって自明であろう。
【図面の簡単な説明】
【００１６】
【図１】本発明のヘア・ドレッシングを実習するための装置の具体例のダミー頭部を示す斜視図。
【図２】図1のヘア・ドレッシングを実習するための装置のダミー頭に設けられるカツラの底面を示す図。
【図３】図1および図2に示すダミー頭およびカツラの側面図であって、カツラが頭部に取着される直前の状態を示すもの。
【図４】図3に示すダミー頭およびカツラにおいて、カツラが頭部に取着された状態を示す側面図。
【符号の説明】
【００１７】
110  ダミー頭部
120  毛髪成長領域
130  ヘア・ライン
140  溝
150  底部
200  カツラ
210  キャップ
211  周縁エッジ部
212  帯状体
213  側面リブ
214  引きタブ
220  毛髪フィラメント
【図１】
2006204897.tif 000003
【図２】
2006204897.tif 000004
【図３】
2006204897.tif 000005
【図４】
2006204897.tif 000006